(57)【要約】【課題】無駄なリソースの消費を抑えて呼損率を低減することができる無線通信システム、無線通信端末、及び無線通信制御方法を提供する。【解決手段】本発明の無線通信システムは、通信エリアが複数の基地局１を含む複数のページングエリアＰＡ１，ＰＡ２に区分けされており、端末２が位置するページングエリアを登録するページングエリア登録部６ａと、端末２に対する着信メッセージを送信する１つの基地局（特定基地局）を登録する特定基地局登録部６ｃとを含む。特定基地局登録部６ｃに端末２の特定基地局が登録されているときには、その特定基地局のみから端末２に着信メッセージを送信する。端末２の特定基地局が登録されていなく、又は、特定基地局からの着信メッセージの送信に失敗したときには、ページングエリア登録部６ａに登録されたページングエリア内の全ての基地局１から端末２に着信メッセージを送信する。【選択図】図１
2007180625.tif 000002
【特許請求の範囲】
【請求項１】
複数の無線基地局装置が含まれる複数の制御領域に区分けされ、当該制御領域単位で所定の処理を行う無線通信システムにおいて、
無線通信端末と当該無線通信端末が位置する前記制御領域とを対応付けて登録する第１登録部と、
前記無線通信端末が位置する前記制御領域に含まれる１つの無線基地局装置を前記無線通信端末の待ち受け無線基地局装置として登録する第２登録部と、
前記無線通信端末と前記待ち受け無線基地局装置との間の通信状況を取得する通信状況管理部と、
前記通信状況管理部が取得した通信状況に基づいて、前記無線通信端末に対応付けて前記第１登録部に登録された前記制御領域に含まれる前記複数の無線基地局装置から前記無線通信端末へ送信される着信通知を、前記第２登録部に登録された前記待ち受け無線基地局装置から前記無線通信端末へ送信される着信通知に変更する制御部と
を備えることを特徴とする無線通信システム。
【請求項２】
前記通信状況管理部は前記無線通信端末に設けられており、
前記無線通信端末は、前記通信状況管理部で取得される通信状況に基づいて、前記第２登録部に登録されるべき前記待ち受け無線基地局装置を変更することを特徴とする請求項１記載の無線通信システム。
【請求項３】
前記通信状況は、接続中の前記待ち受け無線基地局装置からの無線信号の電界強度の変動であることを特徴とする請求項２記載の無線通信システム。
【請求項４】
前記通信状況は、接続中の前記待ち受け無線基地局装置からの無線信号のエラー率であることを特徴とする請求項２記載の無線通信システム。
【請求項５】
前記通信状況は、接続中の前記待ち受け無線基地局装置との間の接続時間であることを特徴とする請求項２記載の無線通信システム。
【請求項６】
前記制御部は、前記無線通信端末の待ち受け無線基地局装置が前記第２登録部に登録されていない場合には、前記第１登録部で対応付けられた前記制御領域に含まれる全ての無線基地局装置から前記無線通信端末への着信通知を行うことを特徴とする請求項１から請求項５の何れか一項に記載の無線通信システム。
【請求項７】
請求項１記載の無線通信システムで用いられる無線通信端末であって、
接続中の前記待ち受け無線基地局装置との間の通信状況に応じて、前記第２登録部に登録されるべき待ち受け無線基地局装置を変更することを特徴とする無線通信端末。
【請求項８】
前記通信状況は、接続中の前記待ち受け無線基地局装置からの無線信号の電界強度の変動であることを特徴とする請求項７記載の無線通信端末。
【請求項９】
前記通信状況は、接続中の前記待ち受け無線基地局装置からの無線信号のエラー率であることを特徴とする請求項７記載の無線通信端末。
【請求項１０】
前記通信状況は、接続中の前記待ち受け無線基地局装置との間の接続時間であることを特徴とする請求項７記載の無線通信端末。
【請求項１１】
複数の無線基地局装置が含まれる複数の制御領域に区分けされ、当該制御領域単位で所定の処理を行う無線通信システムで用いられる無線通信制御方法であって、
無線通信端末と当該無線通信端末が位置する前記制御領域とを対応付けて登録する第１登録ステップと、
前記無線通信端末が位置する前記制御領域に含まれる１つの無線基地局装置を前記無線通信端末の待ち受け無線基地局装置として登録する第２登録ステップと、
前記無線通信端末と前記待ち受け無線基地局装置との間の通信状況を取得する通信状況管理ステップと、
前記通信状況管理部が取得した通信状況に基づいて、前記第１登録部に前記無線通信端末に対応付けて登録された前記制御領域に含まれる前記複数の無線基地局装置から前記無線通信端末への着信通知を、前記第２登録部に登録された前記待ち受け無線基地局装置から前記無線通信端末への着信通知に変更する制御ステップと
を含むことを特徴とする無線通信制御方法。
【発明の詳細な説明】
【技術分野】
【０００１】
本発明は、無線信号を送受信して通信を行う無線通信システム、無線通信端末、及び無線通信制御方法に関する。
【背景技術】
【０００２】
無線通信端末との間で無線信号を送受信して通信を行う無線通信システムにおいては、一般的に無線通信端末がどこに位置するのかを登録する位置登録サーバが設けられている。例えば、ＰＨＳ（Personal Handyphone System）では、複数のＣＳ（Cell Station：基地局）がページングエリアと呼ばれる制御領域に区分けされており、ＰＳ（Personal Station：端末）が、どのページングエリア内に位置しているかが位置登録サーバに登録される。この登録処理は、端末がページングエリア間を移動したときに、例えば移動先のページングエリアに属する基地局であって、端末に最も近く位置する基地局（通信環境が最も良い基地局。例えば、受信電波強度が最も高い基地局）との間で通信を行うことにより行われる。
【０００３】
上記のＰＨＳにおいて、特定の端末への着信があったときにその端末に対して着信メッセージを送信する場合には、まず位置登録サーバに登録された情報を参照してその端末が位置しているページングエリアが特定される。次に、その特定されたページングエリアに属している基地局の全てから一斉に着信メッセージが送信される。端末が着信メッセージを受信した場合には、その着信メッセージに対する応答が基地局（端末に最も近く位置する基地局）に送信され、これにより通話が開始される。仮に、端末からの応答が無い場合には、再度そのページングエリアに属している基地局の全てから一斉に着信メッセージの送信が行われ（リトライ）、リトライアウト時には着信失敗となる。尚、従来の位置登録処理についての詳細は、例えば以下の特許文献１を参照されたい。
【特許文献１】特開２００１−３４６２６４号公報
【発明の開示】
【発明が解決しようとする課題】
【０００４】
ところで、上述したＰＨＳにおいては、ページングエリア内に位置する端末への着信があった場合には、常にそのページングエリアに属する全ての基地局から一斉に着信メッセージが送信される。このため、トラヒックが高い場合には着信メッセージが頻繁に送信されて送信できない着信メッセージも発生して輻輳状態に陥る。輻輳状態に陥ると、当然ながら着信失敗となって通信できないこととなる。かかる状態が引き起こされるのは、ページングエリア内の基地局のリソースを無駄に使用して基地局の全てから一斉に着信メッセージを送信することにあると考えられる。
【０００５】
本発明は、上記事情に鑑みてなされたものであり、無駄なリソースの消費を抑えて呼損率を低減することができる無線通信システム、無線通信端末、及び無線通信制御方法を提供することを目的とする。
【課題を解決するための手段】
【０００６】
上記課題を解決するために、本発明の無線通信システムは、複数の無線基地局装置が含まれる複数の制御領域に区分けされ、当該制御領域単位で所定の処理を行う無線通信システムにおいて、無線通信端末と当該無線通信端末が位置する前記制御領域とを対応付けて登録する第１登録部と、前記無線通信端末が位置する前記制御領域に含まれる１つの無線基地局装置を前記無線通信端末の待ち受け無線基地局装置として登録する第２登録部と、前記無線通信端末と前記待ち受け無線基地局装置との間の通信状況を取得する通信状況管理部と、前記通信状況管理部が取得した通信状況に基づいて、前記無線通信端末に対応付けて前記第１登録部に登録された前記制御領域に含まれる前記複数の無線基地局装置から前記無線通信端末へ送信される着信通知を、前記第２登録部に登録された前記待ち受け無線基地局装置から前記無線通信端末へ送信される着信通知に変更する制御部とを備えることを特徴としている。
また、本発明の無線通信システムは、前記通信状況管理部が前記無線通信端末に設けられており、前記無線通信端末は、前記通信状況管理部で取得される通信状況に基づいて、前記第２登録部に登録されるべき前記待ち受け無線基地局装置を変更することを特徴としている。
ここで、本発明の無線通信システムは、前記通信状況が、接続中の前記待ち受け無線基地局装置からの無線信号の電界強度の変動であることを特徴としている。
又は、本発明の無線通信システムは、前記通信状況が、接続中の前記待ち受け無線基地局装置からの無線信号のエラー率であることを特徴としている。
或いは、本発明の無線通信システムは、接続中の前記待ち受け無線基地局装置との間の接続時間であることを特徴とする請求項２記載の無線通信システム。
また、本発明の無線通信システムは、前記制御部が、前記無線通信端末の待ち受け無線基地局装置が前記第２登録部に登録されていない場合には、前記第１登録部で対応付けられた前記制御領域に含まれる全ての無線基地局装置から前記無線通信端末への着信通知を行うことを特徴としている。
上記課題を解決するために、本発明の無線通信端末は、上記の無線通信システムで用いられる無線通信端末であって、接続中の前記待ち受け無線基地局装置との間の通信状況に応じて、前記第２登録部に登録されるべき待ち受け無線基地局装置を変更することを特徴としている。
ここで、本発明の無線通信端末は、前記通信状況が、接続中の前記待ち受け無線基地局装置からの無線信号の電界強度の変動であることを特徴としている。
又はた、本発明の無線通信端末は、前記通信状況が、接続中の前記待ち受け無線基地局装置からの無線信号のエラー率であることを特徴としている。
或いは、本発明の無線通信端末は、前記通信状況が、接続中の前記待ち受け無線基地局装置との間の接続時間であることを特徴としている
上記課題を解決するために、本発明の無線通信制御方補は、複数の無線基地局装置が含まれる複数の制御領域に区分けされ、当該制御領域単位で所定の処理を行う無線通信システムで用いられる無線通信制御方法であって、無線通信端末と当該無線通信端末が位置する前記制御領域とを対応付けて登録する第１登録ステップと、前記無線通信端末が位置する前記制御領域に含まれる１つの無線基地局装置を前記無線通信端末の待ち受け無線基地局装置として登録する第２登録ステップと、  前記無線通信端末と前記待ち受け無線基地局装置との間の通信状況を取得する通信状況管理ステップと、前記通信状況管理部が取得した通信状況に基づいて、前記第１登録部に前記無線通端末に対応付けて登録された前記制御領域に含まれる前記複数の無線基地局装置から前記無線通信端末への着信通知を、前記第２登録部に登録された前記待ち受け無線基地局装置から前記無線通信端末への着信通知に変更する制御ステップとを含むことを特徴としている。
【発明の効果】
【０００７】
本発明によれば、無線通信端末と待ち受け無線基地局装置との間の通信状況に基づいて、制御領域に含まれる複数の無線基地局装置から無線通信端末へ送信される着信通知が、待ち受け無線基地局装置から無線通信端末へ送信される着信通知に変更されるため、無駄なリソースの消費を抑えて呼損率を低減することができるという効果がある。
【発明を実施するための最良の形態】
【０００８】
以下、図面を参照して本発明の一実施形態による無線通信システム、無線通信端末、及び無線通信制御方法について詳細に説明する。尚、以下の説明では、本発明をＰＨＳ（Personal Handyphone System）に適用した場合を例に挙げて説明するが、本発明の無線通信システムはＰＨＳに限定される訳ではない。図１は、本発明の一実施形態による無線通信システムの概略構成を示すブロック図である。図１に示す通り、本実施形態の無線通信システムは、無線基地局装置としてのＣＳ（Cell Station：以下、基地局という）１、無線通信端末としてのＰＳ（Personal Station：以下、端末という）２、及び制御システム３を含んで構成される。
【０００９】
また、本実施形態の無線通信システムでは、端末１での通信が可能な領域（通信エリア）が、複数の基地局１が含まれる制御領域としての複数のページングエリア（図１では、ページングエリアＰＡ１，ＰＡ２）に区分けされている。このページングエリアは、無線通信システムで行われる所定の処理の単位を規定するものである。つまり、ページングエリアを単位として所定の処理が行われる。ここで、ページングエリアを単位として行われる所定の処理としては、例えば端末１に対する着信メッセージ（着信通知）の送信処理がある。尚、着信メッセージの送信処理の詳細は後述する。
【００１０】
尚、図示の都合上、図１では２つのページングエリアＰＡ１，ＰＡ２のみを図示している。また、図１ではページングエリアＰＡ１，ＰＡ２の各々に４つの基地局１が含まれる例を図示しているが、ページングエリアＰＡ１，ＰＡ２に含まれる基地局１の数は任意であり、またページングエリアＰＡ１，ＰＡ２の各々に含まれる基地局１の数は異なっていても良い。
【００１１】
ページングエリアＰＡ１，ＰＡ２の範囲及び１つのページングエリア内に配置される基地局１の数は、予め測定したトラフィック量等に応じて設定される。例えば、トラフィック量が多い地域のページングエリアについては範囲を狭くして含まれる基地局１の数が少なくなるよう設定し、トラフィック量が少ない地域のページングエリアについては範囲を相対的に広くして含まれる基地局１の数が多くなるよう設定することができる。
【００１２】
基地局１の各々は、ネットワークＮを介して制御システム３に接続されており、端末２との間で無線信号の送受信を行うことにより端末２と他の端末（図示省略）との間で行われる通信を中継するとともに、端末２に対する着信があった場合には端末２に対して着信メッセージを送信する。また、基地局１は端末２の位置登録を行う。ここで、位置登録とは、端末２に対する着信があったときに端末２がどのページングエリアに位置しているのかが分かるように、端末２の位置を示す情報（端末２が位置するページングエリアを示す情報（ＰＡＩＤ））を制御システム３に通知することをいう。
【００１３】
端末２はＰＨＳ子機であり、基地局１との間で無線信号の送受信を行うことにより他の端末（図示省略）との間で通信又は通話を行う。また、端末２は、電源が投入されていれば待ち受け処理を行う。ここで、待ち受け処理とは、端末２に最も近く位置する基地局１（電界強度が最も高い基地局１：待ち受け基地局）を特定し、その基地局からの電波を常に受信し続ける処理をいう。ここで、端末２の内部構成について説明する。
【００１４】
図２は、端末２の内部構成の概略を示すブロック図である。図２に示す通り、端末２は、アンテナ１１、無線部１２、制御部１３、操作部１４、表示部１５、判断部１６、マイクロフォン部１７、及びスピーカー部１８を含んで構成される。アンテナ１１は、基地局１からの電波を受信するとともに、基地局に向けて電波を送信する。無線部１２はアンテナ１１で受信された信号の検波、復調、周波数変換等を行って受信信号を制御部１３に出力するとともに、制御部１３から出力される送信信号の変調、周波数変換等を行い、この信号をアンテナ１１に出力する。
【００１５】
制御部１３は、端末２の動作を制御する。具体的には、無線部１２から出力される受信信号に含まれる音声信号に対して音声データの伸長処理、Ｄ／Ａ変換処理（ディジタル／アナログ変換処理）等を施してスピーカ部１８に出力し、マイクロフォン部１８から出力される音声信号に対してＡ／Ｄ変換処理（アナログ／ディジタル変換処理）圧縮処理等を施して無線部１２に出力する。また、制御部１３は、上記の待ち受け処理を行うとともに、端末２に対する着信メッセージを送信する１つの基地局（特定基地局）を制御システム３に通知する処理（特定基地局位置登録処理）を行う。更に、制御部１３は、表示部１５の表示内容を制御するとともに、操作部１４が操作された場合には、その操作内容に応じた処理を行う。
【００１６】
操作部１４は、通話キー、終話キー、テンキー、ソフトキー等の各種の操作キーを含んで構成され、ユーザによる操作内容に応じた信号を制御部１３に出力する。表示部１５は、制御部１３から出力される信号に基づいた表示を行う。判断部１６は、上記の特定基地局位置登録処理を行うための所定の条件が満たされているか否かを判断し、その判断結果を制御部１３に出力する。
【００１７】
ここで、特定基地局位置登録処理について再度説明する。特定基地局位置登録処理とは、所定の条件を満たす場合に、通常行われる待ち受け処理によって特定された待ち受け基地局をその端末に対する着信があった際に着信メッセージを送信する基地局（特定基地局）に設定することをいう。つまり、通常は着信があると、端末が登録されているページングエリアに属する全ての基地局から着信対象である端末に対し着信メッセージが送信されるが、特定基地局位置登録処理がされると特定基地局だけが端末に対し着信メッセージを送信するようになる。
【００１８】
ここで、特定基地局位置登録処理を行うための所定の条件は、以下の通りである。
（１）一定時間待ち受け基地局が変わらないこと
（２）待ち受け基地局からの電界強度の変動が一定時間ある範囲内であること
（３）待ち受け基地局からのフレームエラーレート（ＦＥＲ）が一定時間発生しないか、又は発生してもある範囲内であること
ここで、上記の条件（１）〜（３）は、ほぼ確実に端末２と基地局１との間で通信可能な状態にあるための条件であるということができる。即ち、上記の条件（１）〜（３）が満たされる場合には、その基地局１から端末２に対して着信メッセージを送信した場合に、ほぼ確実に端末２で受信メッセージを受信可能な状態にあるということができる。
【００１９】
判断部１６は、上記の条件（１）〜（３）の各々が満足されるか否かを判断し、その判断結果を制御部１３に出力する。制御部１３は、判断部１６の判断結果に基づいて、上記の条件（１）〜（３）の少なくとも１つが満足される場合には上記の特定基地局位置登録処理を行う。マイクロフォン部１７は、ユーザにより発せられた音声を音声信号に変換して制御部１３に出力する。スピーカー部１８は、制御部１３から出力される音声信号を音声に変換する。
【００２０】
尚、図２においては図示を省略しているが、端末２には、時間を計時するタイマー部、基地局１が発する電波の電界強度を測定する電界強度測定部、及び基地局１との間の通信で生じるフレームエラーレートを測定するＦＥＲ測定部が設けられている。判断部１６はこれら各部の測定結果を用いて上記の条件（１）〜（３）を判断する。尚、上記の電界強度測定部は、基地局１が発する電波の電界強度そのものを直接測定するものであっても良く、ＳＩＮＲ値から間接的に電界強度を測定するものであってもよい。ここで、ＳＩＮＲ値とは、信号対干渉波・雑音比（Signal to Interference and Noise Ratio）を示す値である。
【００２１】
図１に戻り、制御システム３は、交換機４、制御装置５、及び加入者情報データベース６を含んで構成される。交換機４は、ネットワークＮと接続されており、ネットワークＮを介して送受信される各種信号の通信経路の切り替えを行う。制御装置５は、図１に示す無線通信システム全体の動作を制御する。具体的には、例えば端末２が位置するページングエリアのＰＡＩＤを加入者データベース６に登録し、上述した端末２の特定基地局に関する情報（ＣＳＩＤ）を加入者データベース６に登録し、端末２の待ち受け基地局に関する情報を加入者データベース６に登録し、加入者データベース６に登録されたこれらの情報に基づいて端末２に対する着信メッセージの送信を制御する。
【００２２】
具体的には、端末２に対して着信メッセージを送信する場合に、その端末２に対して特定基地局が登録されている場合には、制御装置５はその端末２に対する着信メッセージをその特定基地局のみから送信させる。これに対して、着信メッセージを送信すべき端末２に特定基地局が登録されていない場合には、制御装置５はその端末２に対する着信メッセージをその端末２が位置するページングエリア内に含まれる全ての基地局１から送信させる。尚、かかる制御の詳細については後述する。
【００２３】
加入者データベース６は、端末２のユーザ（加入者）に関する情報が登録されているデータベースであり、ページングエリア登録部６ａ、待ち受け基地局登録部６ｂ、及び特定基地局登録部６ｃを含んで構成される。ページングエリア登録部６ａには、端末２が位置するページングエリアのＰＡＩＤと端末２を特定する情報（ＰＳ番号）とが対応付けて登録される。待ち受け基地局登録部６ａには、端末２の待ち受け基地局と端末２のＰＳ番号とが対応付けて登録される。特定基地局登録部６ｃには、端末２に対する特定基地局のＣＳＩＤと端末２のＰＳ番号とが対応付けて登録される。
【００２４】
次に、本発明の一実施形態による無線通信制御方法について説明する。図３は、端末２の待ち受け時の動作を示すフローチャートである。尚、図３に示すフローチャートとは別に、端末２の制御部１３は、電源が投入されていれば常時待ち受け処理を行っている。このため、端末２の待ち受け処理によって待ち受け基地局が特定される度に、待ち受け基地局に関する情報が制御システム３に向けて送信され、制御装置５によって受け基地局登録部６ｂに登録されている。
【００２５】
図３に示すフローチャートは、例えばユーザによって端末２の電源が投入されることにより開始される。処理が開始されると、端末２の判断部１６は、特定基地局位置登録処理を行うための所定の条件が満たされているか否かを判断する。つまり、（１）一定時間待ち受け基地局が変わっていないか、（２）待ち受け基地局からの電界強度の変動が一定時間ある範囲内であるか、及び（３）待ち受け基地局からのフレームエラーレートが一定時間発生しないか、又は発生してもある範囲内であるかをそれぞれ判断し、その判断結果を制御部１３に出力する。
【００２６】
制御部１３は、判断部１６の判断結果に基づいて、上記条件（１）〜（３）の少なくとも１つが満足されるか否かを判断する（ステップＳ１１）。上記条件（１）〜（３）が１つも満足されてない場合（判断結果が「ＮＯ」である場合）には、制御部１３は、端末２の待ち受け基地局が変更されたか否かを判断する（ステップＳ１２）。尚、制御部１３は、図３に示すフローチャートとは別に行われる待ち受け処理によって特定された待ち受け基地局を記憶しており、この記憶内容が変更されたか否かにより待ち受け基地局が変更されたか否かを判断する。
【００２７】
ステップＳ１２の判断結果が「ＮＯ」である場合、即ち待ち受け基地局が変更されていない場合には、処理がステップＳ１１に戻り、制御部１３は再度特定基地局位置登録処理を行うための所定の条件が満たされているか否かを判断する。一方、ステップＳ１１において、上記の条件（１）〜（３）の少なくとも１つが満足されている場合（ステップＳ１１の判断結果が「ＹＥＳ」である場合）には、制御部１３は端末２についての特定基地局の位置登録が済んでいるか否かを判断する（ステップＳ１３）。尚、前述の通り、端末２の特定基地局は加入者データベース６の特定基地局登録部６ｃに登録されるが、端末２の制御部１３も特定した特定基地局を記憶している。制御部１３は、特定基地局が記憶されているか否かにより特定基地局の位置登録が済んでいるか否かを判断する。
【００２８】
ステップＳ１３の判断結果が「ＮＯ」の場合、即ち特定基地局の位置登録が済んでいない場合には、制御部１３は特定基地局位置登録処理を行う（ステップＳ１４）。具体的には、制御部１３は、上記の条件（１）〜（３）が満たされる基地局１を特定基地局と特定し、その特定基地局のＣＳＩＤと端末２のＰＳ番号とを制御システム３の制御装置５に向けて送信するとともに、その特定基地局のＣＳＩＤを記憶する。特定基地局のＣＳＩＤと端末２のＰＳ番号とが制御システム３に送信されると、制御装置５はこれらの情報を対応付けて特定基地局登録部６ｃに登録する。
【００２９】
以上の特定基地局位置登録処理が終了すると、処理はステップＳ１１に戻り、制御部１３は再度特定基地局位置登録処理を行うための所定の条件が満たされているか否かを判断する。一方、ステップＳ１３における判断結果が「ＹＥＳ」の場合、即ち特定基地局の位置登録が済んでいる場合には、ステップＳ１４の処理を行わずに処理はステップＳ１１に戻り、制御部１３は再度特定基地局位置登録処理を行うための所定の条件が満たされているか否かを判断する。
【００３０】
ここで、端末２の移動等によって待ち受け基地局が変更された場合を考える。かかる場合には、図３中のステップＳ１２の判断結果は「ＹＥＳ」となり、端末２の制御部１３は、記憶している特定基地局の登録をリセットする（ステップＳ１５）。具体的には、制御部１３は、特定基地局の登録をリセットする旨を示す情報を制御システム３の制御装置５に向けて送信するとともに、記憶しているＣＳＩＤを消去する。特定基地局の登録をリセットする旨を示す情報が制御システム３に送信されると、制御装置５は特定基地局登録部６ｃに対応付けて登録されているその端末２のＰＳ番号及び特定基地局のＣＳＩＤを消去する。
【００３１】
次に、制御部１３は、端末２がページングエリア間を移動したか否かを判断する（ステップＳ１６）。尚、前述の通り、端末２が位置するページングエリアのＰＡＩＤは加入者データベース６のページングエリア登録部６ａに登録されるが、端末２の制御部１３も端末２が位置するページングエリアのＰＡＩＤを記憶しており、基地局１から送信されるＰＡＩＤが記憶しているものと一致するか否かによりページングエリア間を移動していないか否かを判断する。
【００３２】
ステップＳ１６の判断結果が「ＹＥＳ」の場合、つまり、例えば端末２が図１中の矢印で示す通りページングエリアＰＡ１からページングエリアＰＡ２へ移動した場合には、制御部１３は位置登録処理を行う（ステップＳ１７）。具体的には、制御部１３は、基地局１から送信されるＰＡＩＤと端末２のＰＳ番号とを制御システム３の制御装置５に向けて送信するとともに、基地局１から送信されるＰＡＩＤを記憶する。端末２のＰＳ番号とＰＡＩＤが送信されると、制御装置５はこれらの情報を対応付けてページングエリア登録部６ａに登録する。
【００３３】
以上の位置登録処理が終了すると、処理はステップＳ１１に戻り、制御部１３は再度特定基地局位置登録処理を行うための所定の条件が満たされているか否かを判断する。一方、ステップＳ１６における判断結果が「ＮＯ」の場合、即ち端末２がページングエリア間を移動していないと判断した場合には、ステップＳ１７の処理を行わずに処理はステップＳ１１に戻り、制御部１３は再度特定基地局位置登録処理を行うための所定の条件が満たされているか否かを判断する。以上説明した処理によって、端末２の特定基地局の登録及び端末２の位置登録が行われる。尚、以上説明した位置登録処理は、端末２の電源が投入された時点においても行われる。
【００３４】
次に、端末２に対する着信通知があった場合の動作について説明する。図４は、着信時における無線通信システムの動作を示すフローチャートである。端末２に対する着信があると、まず制御装置５は、加入者データベース６の特定基地局登録部６ｃを検索し、着信があった端末２に対する特定基地局の位置登録が済んでいるか否かを判断する（ステップＳ２１）。
【００３５】
端末２に対する特定基地局が加入者データベース６の特定基地局登録部６ｃに登録されている場合（判断結果が「ＹＥＳ」の場合）には、制御装置５は、特定基地局登録部６ｃの登録内容を参照して、着信があった端末２のＰＳ番号に対応付けられた特定基地局のＣＳＩＤで特定される基地局１に向けて着信メッセージを送信する。これにより、着信メッセージが、複数の基地局１の内の１つの特定基地局から端末２に送信される（ステップＳ２２）。
【００３６】
次に、制御装置５は、送信メッセージを送信した端末２からの送信メッセージに対する応答が無いか否かを判断する（ステップＳ２３）。この判断結果が「ＮＯ」の場合、即ち、端末２からの応答が一定時間内にあった場合には、制御装置５は、端末２に対する通話接続処理を行う（ステップＳ２４）。尚、通話接続処理が行われると着信処理は終了する。
【００３７】
一方、ステップＳ２３の判断結果が「ＹＥＳ」の場合、即ち、端末２からの応答が一定時間内に無い場合には、制御装置５は、加入者データベース６のページングエリア登録部６ａの登録内容を参照して、着信があった端末２のＰＳ番号に対応付けられて登録されているＰＡＩＤを取得する。そして、このＰＡＩＤで特定されるページングエリアに含まれる全ての基地局１に向けて着信メッセージを送信する。これにより、例えば、端末２がページングエリアＰＡ２内に位置している場合には、ページングエリアＰＡ２内に含まれる全ての基地局１から端末２に対する着信メッセージが送信される（ステップＳ２５）。
【００３８】
次に、制御装置５は、送信メッセージを送信した端末２からの送信メッセージに対する応答が無いか否かを判断する（ステップＳ２６）。この判断結果が「ＮＯ」の場合、即ち、端末２からの応答が一定時間内にあった場合には、制御装置５は、端末２に対する通話接続処理を行う（ステップＳ２４）。尚、通話接続処理が行われると着信処理は終了する。
【００３９】
一方、ステップＳ２６の判断結果が「ＹＥＳ」の場合、即ち、端末２からの応答が一定時間内に無い場合には、制御装置５は、端末２に対する着信メッセージの再送（リトライ）が予め設定された回数行われたか否かを判断する（ステップＳ２７）。尚、着信メッセージの再送回数は、輻輳を極力回避するため、例えば１回に設定されている。ステップＳ２７の判断結果が「ＮＯ」である場合、即ちリトライが終了していない場合には、制御装置５は、端末２に対して着信メッセージを再送する（ステップＳ２５）。
【００４０】
これに対し、ステップＳ２７の判断結果が「ＹＥＳ」である場合、即ちリトライが終了した場合には、制御装置５は、端末２に対する着信処理が失敗したものとして後処理を行う（ステップＳ２８）。ここで、後処理としては、例えば端末２に対する発信を行った端末に対して着信に失敗した旨を示す信号を送信して留守番電話機能に切り替える等の処理がある。尚、後処理が行われると着信処理は終了する。
【００４１】
以上説明した通り、本実施形態では、特定基地局の登録がされている端末２に対する着信があった場合には、その端末２に対する着信メッセージを１つの特定基地局のみから送信している。このため、着信メッセージを送信する場合には常にページングエリアに含まれる全ての基地局から送信する従来に比べて無駄なリソースの消費を抑えて呼損率を低減することができる。
【００４２】
また、本実施形態では、特定基地局から端末２への着信メッセージの送信に失敗した場合（着信メッセージに対する端末２からの応答が無かった場合）に初めて、従来と同様に、端末２が位置するページングエリアに含まれる全ての基地局から着信メッセージを送信している。このため、無駄なリソースの消費を抑えつつ、端末２へ確実に着信メッセージを送信することができる。更に、本実施形態では、特定基地局が登録されていない端末（例えば、従来の端末）に対しては、従来と同様に、端末２が位置するページングエリアに含まれる全ての基地局から着信メッセージを送信しているため、従来の端末との互換性を保つこともできる。
【００４３】
以上、本発明の一実施形態による無線通信システム、無線通信端末、及び無線通信制御方法について説明したが、本発明は上記実施形態に制限されることなく、本発明の範囲内で自由に変更が可能である。例えば、上記実施形態では、理解を容易にするために、図１に示す加入者データベース６において、ページングエリア登録部６ａ、待ち受け基地局登録部６ｂ、及び特定基地局登録部６ｃを分けており、各々の登録部に端末２のＰＳ番号と各種情報とが対応付けて登録されているとしていた。しかしながら、上記の各種情報を登録する登録部を分けずに、端末２のＰＳ番号に対して、上記の複数の情報の各々を対応付けて登録するのが望ましい。
【００４４】
また、上記実施形態では、待ち受け基地局登録部６ｂと特定基地局登録部６ｃと分けて、端末２の待ち受け基地局と特定基地局とを別々に登録する場合を例に挙げて説明したが。しかしながら、待ち受け基地局登録部６ｂと特定基地局登録部６ｃとを１つにまとめて端末２の待ち受け基地局を常に特定基地局としても良い。
【図面の簡単な説明】
【００４５】
【図１】本発明の一実施形態による無線通信システムの概略構成を示すブロック図である。
【図２】端末２の内部構成の概略を示すブロック図である。
【図３】端末２の待ち受け時の動作を示すフローチャートである。
【図４】着信時における無線通信システムの動作を示すフローチャートである。
【符号の説明】
【００４６】
１                基地局
２                端末
５                制御装置
６ａ              ページングエリア登録部
６ｂ              待ち受け基地局登録部
６ｃ              特定基地局登録部
１６              判断部
ＰＡ１，ＰＡ２    ページングエリア
【図１】
2007180625.tif 000003
【図２】
2007180625.tif 000004
【図３】
2007180625.tif 000005
【図４】
2007180625.tif 000006